(57)【要約】【課題】形状や構造などが種々に異なる既存のサッシにおいてできる限り多くのサッシに対し、既存のサッシ外枠を建物側に残した状態でサッシ内枠のみを取り替えることができるサッシ取り替え工法。【解決手段】サッシ外枠１が、内外側レールおよび竪突条を備え、サッシ内枠が、引き違い状に配設されている既存のサッシで、既存のサッシ外枠１を建物側に残してサッシ内枠をリフォーム用サッシ内枠６ａ，６ｂに取り替える工法で、内外側レールおよび竪突条を既存のサッシ外枠１から除去し、リフォーム用サッシ内枠６ａ，６ｂに対応するリフォーム用の内外側レール７ａ，７ｂ，８ａ，８ｂおよび竪突条を取り付け、あるいは、内外側のいずれか一方側のレールを既存のサッシ外枠１から除去し、リフォーム用サッシ内枠６ａ，６ｂに対応する状態でリフォーム用のレールを取り付けてリフォーム用サッシ内枠６ａ，６ｂに取り替える。【選択図】        図６
2004183290.tif 000002
【特許請求の範囲】
【請求項１】
建物側に固定された既存のサッシ外枠が、室内側に位置する上下一対の内側レールと室外側に位置する上下一対の外側レール、および、左右に位置する竪突条を備え、前記内側レールと外側レールに沿って移動する内外一対の既存のサッシ内枠が、前記サッシ外枠に引き違い状に配設されている既存のサッシにおいて、前記既存のサッシ外枠を建物側に残した状態で前記既存のサッシ内枠をリフォーム用サッシ内枠に取り替えるサッシ取り替え工法であって、
前記内側レールと外側レールおよび前記竪突条を前記既存のサッシ外枠から除去し、
その既存のサッシ外枠に対し前記リフォーム用サッシ内枠に対応するリフォーム用の上下一対の内側レールと外側レールおよび竪突条を取り付けて前記リフォーム用サッシ内枠に取り替えるサッシ取り替え工法。
【請求項２】
建物側に固定された既存のサッシ外枠が、室内側に位置する上下一対の内側レールと室外側に位置する上下一対の外側レール、および、左右に位置する竪突条を備え、前記内側レールと外側レールに沿って移動する内外一対の既存のサッシ内枠が、前記サッシ外枠に引き違い状に配設されている既存のサッシにおいて、前記既存のサッシ外枠を建物側に残した状態で前記既存のサッシ内枠をリフォーム用サッシ内枠に取り替えるサッシ取り替え工法であって、
前記内側と外側のいずれか一方側の上下一対のレールを前記既存のサッシ外枠から除去し、
その既存のサッシ外枠に対し前記リフォーム用サッシ内枠に対応する状態でリフォーム用の上下一対のレールを取り付けて前記リフォーム用サッシ内枠に取り替えるサッシ取り替え工法。
【発明の詳細な説明】
【０００１】
【発明の属する技術分野】
本発明は、建物側に固定された既存のサッシ外枠が、室内側に位置する上下一対の内側レールと室外側に位置する上下一対の外側レール、および、左右に位置する竪突条を備え、前記内側レールと外側レールに沿って移動する内外一対の既存のサッシ内枠が、前記サッシ外枠に引き違い状に配設されている既存のサッシにおいて、前記既存のサッシ外枠を建物側に残した状態で前記既存のサッシ内枠をリフォーム用サッシ内枠に取り替えるサッシ取り替え工法に関する。
【０００２】
【従来の技術】
この種のサッシでは、近年、防音タイプ、断熱タイプ、あるいは、日射コントロールタイプなどの種々の機能を備えたものが流通し、古い既存のサッシを新しいサッシに取り替えたいという要望もきわめて高い。
ところが、この種のサッシは、その形状や構造などがメーカーや製造年代により異なっていて種々のものが存在するため、サッシのリフォーム、例えば、既存のサッシ外枠を建物側に残したままで、かつ、そのサッシ外枠を新たなサッシの一部として使用可能な状態でサッシ内枠（サッシ業界では、一般に「障子」と称している）のみをリフォームするのは不可能に近いと考えられていた。
【０００３】
このような問題を解決する工法として、従来、既存のサッシ外枠を建物側に残し、かつ、既存のサッシ外枠に備えられた室内側と室外側の下方レールもそのまま残した状態で、その既存の下方レールに被覆レール部材などを被せて、室内側下方レールと室外側下方レールとの間隔を変更したり、既存のサッシ外枠にリフォーム用の上方レールを取り付けたりして、既存のサッシ内枠をリフォーム用のサッシ内枠に取り替える方法が提案された（例えば、特許文献１参照）。
【０００４】
【特許文献１】
特許第２９２０７６０号公報（図４〜図７）
【０００５】
【発明が解決しようとする課題】
しかし、上記公報に開示の工法では、既存のレールを残したままで、そのレールに被覆レール部材などを被せて室内側と室外側とのレール間の間隔を変更するものであるから、レール間隔の変更にも自ずと限度があり、したがって、特定の条件に合致するサッシ外枠を備えた既存のサッシにのみ適用可能な工法であり、上述したように、形状や構造などがメーカーや製造年代により種々に異なる既存のサッシにおいて必ずしも満足できる工法ではなく、この点に改良の余地が残されている。
【０００６】
本発明は、このような問題点に着目したもので、その目的は、形状や構造などが種々に異なる既存のサッシにおいてできる限り多くのサッシに対し、その既存のサッシ外枠を建物側に残した状態でサッシ内枠のみを取り替えることができるサッシ取り替え工法を提供することである。
【０００７】
【課題を解決するための手段】
請求項１の発明の特徴構成は、建物側に固定された既存のサッシ外枠が、室内側に位置する上下一対の内側レールと室外側に位置する上下一対の外側レール、および、左右に位置する竪突条を備え、前記内側レールと外側レールに沿って移動する内外一対の既存のサッシ内枠が、前記サッシ外枠に引き違い状に配設されている既存のサッシにおいて、前記既存のサッシ外枠を建物側に残した状態で前記既存のサッシ内枠をリフォーム用サッシ内枠に取り替えるサッシ取り替え工法であって、前記内側レールと外側レールおよび前記竪突条を前記既存のサッシ外枠から除去し、その既存のサッシ外枠に対し前記リフォーム用サッシ内枠に対応するリフォーム用の上下一対の内側レールと外側レールおよび竪突条を取り付けて前記リフォーム用サッシ内枠に取り替えるところにある。
【０００８】
請求項１の発明の特徴構成によれば、建物側に固定された既存のサッシ外枠において、室内側に位置する上下一対の内側レールと室外側に位置する上下一対の外側レール、および、左右に位置する竪突条を既存のサッシ外枠から除去し、その既存のサッシ外枠に対しリフォーム用サッシ内枠に対応するリフォーム用の上下一対の内側レールと外側レールおよび竪突条を取り付けて取り替えるので、形状や構造などが種々に異なる既存のサッシにおいても、内側レールと外側レールとのレール間隔をリフォーム用サッシ内枠に対応するレール間隔に変更し、かつ、竪突条をリフォーム用サッシ内枠に適応するように変更することができる。
したがって、かなり広範囲にわたる既存のサッシに対して、そのサッシ外枠を建物側に残し、かつ、リフォーム後の新たなサッシ外枠として使用できる状態で、サッシ内枠のみを取り替えることができ、リフォームに要する費用の低減化を図ることができる。
【０００９】
請求項２の発明の特徴構成は、建物側に固定された既存のサッシ外枠が、室内側に位置する上下一対の内側レールと室外側に位置する上下一対の外側レール、および、左右に位置する竪突条を備え、前記内側レールと外側レールに沿って移動する内外一対の既存のサッシ内枠が、前記サッシ外枠に引き違い状に配設されている既存のサッシにおいて、前記既存のサッシ外枠を建物側に残した状態で前記既存のサッシ内枠をリフォーム用サッシ内枠に取り替えるサッシ取り替え工法であって、前記内側と外側のいずれか一方側の上下一対のレールを前記既存のサッシ外枠から除去し、その既存のサッシ外枠に対し前記リフォーム用サッシ内枠に対応する状態でリフォーム用の上下一対のレールを取り付けて前記リフォーム用サッシ内枠に取り替えるところにある。
【００１０】
請求項２の発明の特徴構成によれば、建物側に固定された既存のサッシ外枠において、室内側に位置する上下一対の内側レールと室外側に位置する上下一対の外側レールのうち、いずれか一方側の上下一対のレールを既存のサッシ外枠から除去し、その既存のサッシ外枠に対しリフォーム用サッシ内枠に対応する状態でリフォーム用の上下一対のレールを取り付けて取り替えるので、この場合にも、内側レールと外側レールとのレール間隔をリフォーム用サッシ内枠に対応するレール間隔に変更することができる。
したがって、この工法においても、かなり広範囲にわたる既存のサッシに対して、そのサッシ外枠を建物側に残し、かつ、リフォーム後の新たなサッシ外枠として使用できる状態で、サッシ内枠のみを取り替えることができるとともに、上下一対の内側レールと外側レールのいずれか一方を再使用することで、リフォームに要する費用を一層低減化することも可能となる。
【００１１】
【発明の実施の形態】
本発明によるサッシ取り替え工法の実施の形態を図面に基づいて説明する。
この工法の対象となる既存のアルミサッシは、図１に示すように、建物側に固定された既存のアルミ製サッシ外枠１と、そのサッシ外枠１内に引き違い状に配設された内外一対の既存のアルミ製サッシ内枠２ａ，２ｂ、すなわち、室内側に位置する内側サッシ内枠２ａと室外側に位置する外側サッシ内枠２ｂを備えている。
サッシ外枠１は、図２および図３に示すように、室内側に位置する上方内側レール３ａと下方内側レール３ｂを備え、その上下一対の内側レール３ａ，３ｂに沿って、前記内側サッシ内枠２ａが移動自在に保持されている。同様に、サッシ外枠１は、室外側に位置する上方外側レール４ａと下方外側レール４ｂも備え、その上下一対の外側レール４ａ，４ｂに沿って、前記外側サッシ内枠２ｂが移動自在に保持されるとともに、サッシ外枠１の左右には、図５の（イ）に示すように、サッシ内枠２ａ，２ｂを閉じた際、各サッシ内枠２ａ，２ｂとサッシ外枠１との間を封止するための多数の竪突条５ａ〜５ｆも設けられている。
【００１２】
このような既存のサッシにおいて、サッシ外枠１を建物側に残した状態で、既存のサッシ内枠２ａ，２ｂのみを新たなリフォーム用サッシ内枠６ａ，６ｂに取り替える場合、特に問題となるのは、既存の内側レール３ａ，３ｂと外側レール４ａ，４ｂにおけるレール間隔Ｌ１と、図６に示すリフォーム用サッシ内枠６ａ，６ｂに対応するリフォーム用の内側レール７ａ，７ｂと外側レール８ａ，８ｂにおけるレール間隔Ｌ２との違いである。
そこで、まず、既存のサッシ外枠１からサッシ内枠２ａ，２ｂを取り外し、既存のレール間隔Ｌ１とリフォーム用のレール間隔Ｌ２をはじめとして、既存のサッシ外枠１に対するリフォーム用サッシ内枠６ａ，６ｂの取り合い関係などを詳細に検討する。
【００１３】
〔第１のサッシ取り替え工法〕
本発明による第１の工法は、既存のレール間隔Ｌ１とリフォーム用のレール間隔Ｌ２が違いすぎる場合、あるいは、上下一対の内側レール３ａ，３ｂと外側レール４ａ，４ｂ、および、竪突条５ａ〜５ｆなどが、全てリフォーム用サッシ内枠６ａ，６ｂに適応しないか、または、損傷が著しくて再使用がむずかしい場合などに実施される。
この第１の工法では、図４に示すように、既存のサッシ外枠１から上下一対の内側レール３ａ，３ｂと外側レール４ａ，４ｂを除去し、さらに、竪突条５ａ〜５ｆも除去する。ただし、竪突条５ａ〜５ｆに関しては、完全に除去する場合もあれば、リフォーム用サッシ内枠６ａ，６ｂとの取り合いの関係から、図４や図５の（ロ）に示すように、竪突条５ａ〜５ｆの基端部を一部残して先端部のみを除去する場合もある。
【００１４】
そして、リフォーム用サッシ内枠６ａ，６ｂに対応するように予め準備されたリフォーム用の上下一対の内側レール７ａ，７ｂと外側レール８ａ，８ｂ、具体的には、図６に示すように、上方の内側レール７ａと外側レール８ａが所定のレール間隔Ｌ２を有するように一体化されたアルミ製の上方レール用アタッチメント９と、下方の内側レール７ｂと外側レール８ｂが所定のレール間隔Ｌ２を有するように一体化されたアルミ製の下方レール用アタッチメント１０が準備されており、両レール用アタッチメント９，１０をビスあるいは接着剤などにより既存のサッシ外枠１の上方と下方に取り付ける。
さらに、図７に示すように、リフォーム用サッシ内枠６ａ，６ｂに対応するリフォーム用の竪突条１１ａ，１１ｂを備えたアルミ製の左方竪突条用アタッチメント１２と竪突条１１ｃ，１１ｄを備えたアルミ製の右方竪突条用アタッチメント１３も準備されていて、両竪突条用アタッチメント１２，１３をビスあるいは接着剤などにより既存のサッシ外枠１の左右に取り付ける。
【００１５】
このようにして既存のサッシ外枠１に両レール用アタッチメント９，１０を取り付けた状態では、当然のことながら、リフォーム用の内側レール７ａ，７ｂと外側レール８ａ，８ｂにおけるレール間隔Ｌ２は、リフォーム用サッシ内枠６ａ，６ｂに適応した間隔となる。
したがって、そのサッシ外枠１にリフォーム用の内側サッシ内枠６ａと外側サッシ内枠６ｂを嵌め込むと、両サッシ内枠６ａ，６ｂを閉じた際、サッシ内枠６ａ，６ｂどうしの召合せは図７に示すように所定どおりに維持される。
さらに、既存のサッシ外枠１に両竪突条用アタッチメント１２，１３を取り付けることにより、両サッシ内枠６ａ，６ｂを閉じた際、各サッシ内枠６ａ，６ｂと既存のサッシ外枠１との間も所定どおりに密閉される。
【００１６】
〔第２のサッシ取り替え工法〕
本発明による第２の工法は、既存のレール間隔Ｌ１とリフォーム用のレール間隔Ｌ２は異なるが、上下一対の内側レール３ａ，３ｂと外側レール４ａ，４ｂのうちのいずれか一方側が再使用可能であり、竪突条５ａ〜５ｆも、少なくともその一部が再使用可能な場合などに実施される。
例えば、上下一対の外側レール４ａ，４ｂを再使用する場合であれば、図８および図９に示すように、既存のサッシ外枠１から上下一対の内側レール３ａ，３ｂのみを除去し、さらに、竪突条５ａ〜５ｆのうち、再使用可能なものを残して他は除去する。ただし、この場合にも、必要に応じて竪突条５ａ〜５ｆの基端部を一部残して先端部のみを除去することがある。
【００１７】
この第２の工法用としては、１本の上方レール１４ａを一体的に備えたアルミ製の単一上方レール用アタッチメント１５と、１本の下方レール１４ｂを一体的に備えたアルミ製の単一下方レール用アタッチメント１６が予め準備されており、したがって、上方外側レール４ａとリフォーム用の上方レール１４ａとの間隔がＬ２となるように、単一上方レール用アタッチメント１５をビスあるいは接着剤などにより既存のサッシ外枠１の上方に取り付け、かつ、下方外側レール４ｂとリフォーム用の下方レール１４ｂとの間隔がＬ２となるように、単一下方レール用アタッチメント１６をビスあるいは接着剤などにより既存のサッシ外枠１の下方に取り付ける。
さらに、リフォーム用サッシ内枠６ａ，６ｂに対応するリフォーム用の竪突条１１ａ，１１ｂを備えたアルミ製の左方竪突条用アタッチメント１２と竪突条１１ｃ，１１ｄを備えたアルミ製の右方竪突条用アタッチメント１３も準備されていて、両竪突条用アタッチメント１２，１３をビスあるいは接着剤などにより既設のサッシ外枠１の左右に取り付ける。
【００１８】
このようにして既設のサッシ外枠１に両レール用アタッチメント９，１０を取り付けた状態では、当然のことながら、リフォーム用の内側レール７ａ，７ｂと外側レール８ａ，８ｂにおけるレール間隔Ｌ２は、リフォーム用サッシ内枠６ａ，６ｂに適応した間隔となる。
したがって、そのサッシ外枠１にリフォーム用の内側サッシ内枠６ａと外側サッシ内枠６ｂを嵌め込むと、両サッシ内枠６ａ，６ｂを閉じた際、サッシ内枠６ａ，６ｂどうしの召合せは所定どおりに維持される。
さらに、既設のサッシ外枠１に両竪突条用アタッチメント１２，１３を取り付けることにより、両サッシ内枠６ａ，６ｂを閉じた際、各サッシ内枠６ａ，６ｂと既設のサッシ外枠１との間も所定どおりに密閉される。
【図面の簡単な説明】
【図１】既存のサッシおよびリフォーム後のサッシの斜視図
【図２】既存のサッシの縦断側面図
【図３】既存のサッシ外枠の一部拡大斜視図
【図４】リフォーム過程を示すサッシ外枠の一部拡大斜視図
【図５】既存のサッシ外枠とリフォーム過程を示すサッシ外枠の横断平面図
【図６】リフォーム後のサッシの縦断側面図
【図７】リフォーム後のサッシの横断平面図
【図８】リフォーム過程を示すサッシ外枠の一部拡大斜視図
【図９】リフォーム後のサッシの縦断側面
【符号の説明】
１              既存のサッシ外枠
２ａ，２ｂ      既存のサッシ内枠
３ａ，３ｂ      内側レール
４ａ，４ｂ      外側レール
５ａ〜５ｆ      竪突条
６ａ，６ｂ      リフォーム用サッシ内枠
７ａ，７ｂ      リフォーム用の内側レール
８ａ，８ｂ      リフォーム用の外側レール
１１ａ〜１１ｄ  リフォーム用の竪突条
１４ａ          リフォーム用の上方レール
１４ｂ          リフォーム用の下方レール
【図１】
2004183290.tif 000003
【図２】
2004183290.tif 000004
【図３】
2004183290.tif 000005
【図４】
2004183290.tif 000006
【図５】
2004183290.tif 000007
【図６】
2004183290.tif 000008
【図７】
2004183290.tif 000009
【図８】
2004183290.tif 000010
【図９】
2004183290.tif 000011